(57)【特許請求の範囲】
【請求項１】
電子キーを挿入する開口部を形成したケース本体と、
電子キーの未挿入時に前記開口部を閉止する一方、電子キーの挿入時にその押し込み方向に移動して該開口部を開放するシャッタと、
シャッタを前記開口部の閉止方向に付勢する付勢手段と、を備えた電子キーのスロットにおいて、
前記シャッタを電子キーの押し込み方向に移動案内するガイド部と、
このガイド部に配置されて、中間部分がガイド部に対して内外方向に回動自在に枢支され、シャッタの押し込みにより該シャッタに押動されて開口部側端部が閉じ方向に回動する節度ピースと、
前記節度ピースの開口部側端部に形成され、電子キーの凹部に係合可能なロック部と、を設けたことを特徴とする電子キーのスロット。
【請求項２】
節度ピースは、弾発力をもって撓み変形可能な部材で形成し、電子キーの挿入時に前記ロック部を電子キーの外側に圧接させることを特徴とする請求項１に記載の電子キーのスロット。
【請求項３】
シャッタの厚さを、節度ピースの回動中心とロック部との間の距離よりも薄く形成したことを特徴とする請求項１または２に記載の電子キーのスロット。
【請求項４】
請求項１〜３のいずれか１項記載の電子キーのスロットに挿入される電子キーであって、電子キーのスロットへの少なくとも挿入側が、平面視において略楕円平板状あるいは長円平板状に形成され、略楕円形状または長円形状の長軸と直交する方向でかつ短軸上よりも外れた側面部に電子キーのスロットのロック部と係合する凹部を設けたことを特徴とする電子キー。
【発明の詳細な説明】
【技術分野】
【０００１】
本発明は、電子キー及び電子キーのスロットに関する。
【背景技術】
【０００２】
電子キーのスロットは、電子キーを挿入するケース本体の開口部を該電子キーの未挿入時にシャッタで閉止するようになっているが、その開口部が指などの異物でシャッタを押し込んで開いたままになるのを防止する機構が設けられる。
【０００３】
その機構としては、シャッタとケース本体との間にシャッタホルダを設け、かつ、そのシャッタホルダとケース本体底部との間にケース用のリターンスプリングを配設するとともに、シャッタとシャッタホルダとの間にもシャッタ用のリターンスプリングを配設し、更に、シャッタホルダとケース本体内周との間にシャッタホルダの押し込み位置を保持する節度ピースを設けるとともに、シャッタホルダの開口部側端部に電子キーをシャッタホルダ内にロックするためのロックピースを設けてある。
【０００４】
そして、電子キーを挿入した場合にはロックピースでその電子キーをロックするため電子キーの挿入状態を保持するが、電子キー以外の異物を挿入した場合にはそれをロックピースがロックしないため、異物の除去に伴ってシャッタホルダおよびシャッタが復帰して開口部を閉止することができる（例えば、特許文献１参照）。
【特許文献１】特開２００４−１６２２６１号公報（第１１頁、第１４図）
【発明の開示】
【発明が解決しようとする課題】
【０００５】
しかしながら、かかる従来の電子キーのスロットは、異物でシャッタが開いたままになるのを防止する機構を構成するために、シャッタとケース本体との間にシャッタホルダを設けてあることにより、このシャッタホルダを復帰させるためのリターンスプリングが必要になるとともに、シャッタホルダの押し込み状態を保持する節度ピースと電子キーの挿入状態を保持するロックピースとを別体の部品として構成してある。
【０００６】
このため、部品点数が嵩んでスロット自体が大型化してしてしまうとともに、スロットの組み付け作業性が複雑化してコストアップを余儀なくされてしまう。
【０００７】
そこで、本発明は、異物でシャッタが開いたままになるのを防止する機構を簡素化して、小型軽量化およびコストダウンを達成できる電子キー及び電子キーのスロットを提供するものである。
【課題を解決するための手段】
【０００８】
本発明の電子キーのスロットは、電子キーを挿入する開口部を形成したケース本体と、電子キーの未挿入時に前記開口部を閉止し、電子キーの挿入時にその押し込み方向に移動して該開口部を開放する所定厚さのシャッタと、そのシャッタを前記開口部の閉止方向に付勢する付勢手段と、を備えた電子キーのスロットにおいて、前記シャッタを電子キーの押し込み方向に移動案内するガイド部と、このガイド部に配置されて、中間部分がガイド部に対して内外方向に回動自在に枢支され、シャッタの押し込みにより該シャッタに押動されて開口部側端部が閉じ方向に回動する節度ピースと、前記節度ピースの開口部側端部に形成され、電子キーの凹部に係合可能なロック部と、を設けたことを最も主要な特徴とする。
【発明の効果】
【０００９】
本発明の電子キーのスロットによれば、シャッタで閉止したケース本体の開口部に電子キーを挿入することにより、シャッタは電子キーとともに押し込まれて前記開口部を開放するとともに、押し込まれたシャッタにより節度ピースを回動して、その開口部側端部に形成したロック部が電子キーの凹部に係合して、電子キーの挿入状態を保持することができる。
【００１０】
一方、前記開口部に指などの異物を挿入した場合は、シャッタが押し込まれて該開口部を開放するが、異物には節度ピースのロック部が係合しないため、異物を除去することによりシャッタは付勢手段の付勢力で押圧されて前記開口部を閉止することができる。
【００１１】
従って、異物でシャッタが開いたままになるのを防止する機構は、シャッタ自体の移動で回動する節度ピースがロック部を兼用するため、スロットの構成部品が削減されて構造を簡素化できるようになり、ひいてはコストダウンを達成することができる。
【発明を実施するための最良の形態】
【００１２】
以下、本発明の実施形態を図面と共に詳述する。
【００１３】
図１〜図７は本発明にかかる電子キーのスロットの一実施形態を示し、図１は電子キーの未挿入状態を示すスロットの断面図、図２は節度ピースの取付状態を示す斜視図、図３はスロットの電子キーを挿入する途中の断面図、図４は電子キーの挿入時の動作を（ａ）〜（ｃ）に順を追って示す断面図、図５は電子キーの引抜き時の動作を（ａ）〜（ｃ）に順を追って示す断面図、図６は電子キーを斜めに挿入した時の動作を（ａ）〜（ｃ）に順を追って示す断面図である。
【００１４】
本実施形態の電子キーのスロット１は、図１に示すように電子キー１０を挿入する開口部２を形成したケース本体３と、電子キー１０の未挿入時に前記開口部２を閉止する一方、電子キー１０の挿入時にその押し込み方向に移動して開口部２を開放する所定厚さのシャッタ４と、シャッタ４を開口部２の閉止方向に付勢する付勢手段としてのスプリング５と、を備えている。
【００１５】
前記ケース本体３は、底部３ａを有する扁平筒体３ｂと、この扁平筒体３ｂの開口側を閉塞する蓋体３ｃとで構成され、この蓋体３ｃは、背面に突設した爪部３ｄが扁平筒体３ｂの内側に係合して一体化されることによりケース本体３内に閉塞空間を形成し、そして、前記開口部２は蓋体３ｃの中央部に形成されている。
【００１６】
また、前記スプリング５は圧縮スプリングとして形成され、前記扁平筒体３ｂの底部３ａと前記シャッタ４との間に圧縮状態で配置され、シャッタ４を常時開口部２方向に押圧している。
【００１７】
ここで、前記電子キー１０は所定厚さをもった楕円形状に形成され、その長軸方向が前記開口部２への挿入方向となり、その挿入方向両側のほぼ中央部で短軸上よりも外れた側面部には、長軸と直交する方向に一対の凹部１１が形成されている。
【００１８】
そして、本実施形態の電子キー１０のスロット１では、前記ケース本体３の内部に、前記シャッタ４を電子キー１０の押し込み方向に移動案内するガイド部としての扁平筒状のガイド筒６と、このガイド筒６のシャッタ４の移動方向（図中上方）に配置されて、その中間部分がガイド筒６に対して内外方向（図中左右方向）に回動自在に支軸７によって枢支され、シャッタ４の押し込みにより該シャッタ４に押動されて開口部側端部８ａが閉じ方向に回動する節度ピース８と、該節度ピース８の開口部側端部８ａに形成され、電子キー１０の凹部１１に係合可能なロック部９と、を設けてある。
【００１９】
尚、本実施形態では前記電子キー１０のＩＤ信号を読み取るための装置は図示省略してある。
【００２０】
即ち、前記節度ピース８は、図２に詳示するように扁平なガイド筒６の長辺方向両側に一対（図は片方の節度ピース８を省略してある。）設けられ、ガイド筒６に形成した長穴状の開口部６ａに配設される。
【００２１】
そして、前記開口部６ａの対向長辺のほぼ中央部にそれぞれ突設した一対の支持部６ｂ間に前記節度ピース８を配置し、該節度ピース８の長さ方向ほぼ中央部に形成したボス部８ｂを、ビスで形成した前記支軸７によって前記支持部６ｂに回動自在に取り付けてある。
【００２２】
また、前記ボス部８ｂの軸方向両側からストッパー２０を前記支軸７の軸方向に沿って互いに反対方向に突設する一方、前記支持部６ｂの外周に所定幅をもって節度ピース８の回動量を規制する切欠部２１を形成し、ストッパー２０がこの切欠部２１の一側２１ａに当接することにより、節度ピース８の開口部側端部８ａがガイド筒６内に進入するのを阻止するとともに、ストッパー２０が切欠部２１の他側２１ｂに当接することにより、前記開口部側端部８ａが開き過ぎるのを阻止するようになっている。
【００２３】
前記ロック部９は、節度ピース８の開口部側端部８ａの内面に突設し、前記電子キー１０の凹部１１に嵌合する凸部として形成されるとともに、該ロック部９は電子キー１０の挿入方向両側を傾斜させて山形に突出させてある。
【００２４】
また、前記節度ピース８は、弾発力をもって撓み変形可能な部材で形成し、電子キー１０の挿入時に前記ロック部９を電子キー１０の外側に圧接させるようになっている。
【００２５】
ところで、前記シャッタ４は、図３に示すように電子キー１０を開口部２から挿入することによりガイド筒６に沿ってケース本体３の底部３ａ方向に押し込まれるが、その押し込まれる途中でシャッタ４が節度ピース８の支軸７に差し掛かった時点で、節度ピース８がシャッタ４の外周に押されてガイド筒６の側壁に沿う位置に回動される。
【００２６】
このとき、前記シャッタ４の厚さａを、節度ピース８の回動中心となる支軸７とロック部９との間の距離ｂよりも薄く形成してある。
【００２７】
従って、前記スロット１に電子キー１０を挿入する動作は、まず、図４（ａ）に示すように電子キー１０を開口部２に挿入する以前は、節度ピース８の開口部側端部８ａはガイド筒６の外方に突出するように開いた状態となっている。
【００２８】
そして、図４（ｂ）に示すように電子キー１０を挿入してシャッタ４をスプリング５の付勢力に抗して押し込むことにより開口部２は開放し、シャッタ４が支軸７に差し掛かることにより節度ピース８はガイド筒６の側壁に沿う位置に回動され、開口部側端部８ａは閉じ状態となる。
【００２９】
更に、電子キー１０を押し込むことによりシャッタ４は節度ピース８の奥側端部８ｃ側に押し込まれるとともに、電子キー１０の凹部１１に節度ピース８に設けたロック部９が係合し、この状態で電子キー１０は開口部２からの飛び出しが阻止され、安定的に電子キー１０の挿入状態が保持される。
【００３０】
一方、電子キー１０を図５（ａ）の挿入状態から引き抜く時には、凹部１１とロック部９との係合力に打ち勝つ力で電子キー１０を引抜くと、図５（ｂ）に示すようにロック部９の反力に抗して凹部１１からロック部９を離脱させ、その離脱後はスプリング５の付勢力も手伝って電子キー１０を容易に引き抜くことができる。
【００３１】
そして、電子キー１０を引き抜いた後は、図５（ｃ）に示すようにスプリング５の付勢力でシャッタ４は押し出されて、シャッタ４の側面で節度ピース８のロック部９を押し広げつつ初期状態に復帰し、開口部２を閉止する。
【００３２】
以上の構成により本実施形態の電子キーのスロットによれば、シャッタ４で閉止したケース本体３の開口部２に電子キー１０を挿入することにより、シャッタ４は電子キー１０とともに押し込まれて開口部２を開放するとともに、押し込まれたシャッタ４により節度ピース８を回動して、その開口部側端部８ａに形成したロック部９が電子キー１０の凹部１１に係合して、電子キー１０の挿入状態を保持することができる。
【００３３】
一方、前記開口部２に指などの異物を挿入した場合は、シャッタ４が押し込まれて開口部２を開放するが、その異物には節度ピース８のロック部９が係合しないため、異物を除去することによりシャッタ４はスプリング５の付勢力で押圧されて開口部２を閉止することができる。
【００３４】
従って、異物でシャッタ４が開いたままになるのを防止する機構は、シャッタ４の移動で回動する節度ピース８がロック部９を兼用するため、スロット１の構成部品が削減されて構造を簡素化でき、ひいてはコストダウンを達成することができる。
【００３５】
また、本実施形態のスロット１では、前記節度ピース８を、弾発力をもって撓み変形可能な部材で形成し、電子キー１０の挿入時に前記ロック部９を電子キー１０の外側に圧接させるようにしたので、ロック部９と電子キー１０の凹部１１との係脱を円滑に行うことができるとともに、本実施形態のように電子キー１０を楕円形状に形成した場合に、該電子キー１０が図６（ａ）に示すように斜めに挿入された場合にも、図６（ｂ）に示すように電子キー１０を真っ直ぐに矯正して、図６（ｃ）に示すように電子キー１０を正常に挿入でき、ロック部９を凹部１１に係合させることができる。
【００３６】
即ち、図６（ａ）に示すように電子キー１０が斜めに挿入されると、電子キー１０が斜めに傾いた側の外側に、節度ピース８の撓み力が図中左側のロック部９を介して、反対側となる図中右側のロック部９よりも大きな反力Ｒをもって作用するため、対向する左右一対のロック部９の反力が均衡する方向、つまり、電子キー１０が図６（ｂ）に示すように真っ直ぐになるように矯正することができる。
【００３７】
更に、図３に示すように前記シャッタ４の厚さａを、節度ピース８の回動中心となる支軸７とロック部９との間の距離ｂよりも薄く形成したので、シャッタ４が支軸７を越えて押し込まれた際に、節度ピース８をガイド筒６の側壁に沿った方向、つまり、シャッタ４の押し込み方向と平行な向きに確実に規制することができる。
【００３８】
図７，図８は本発明の他の実施形態を示し、前記実施形態と同一構成部分に同一符号を付して重複する説明を省略して述べるものとし、図７は節度ピースの支軸部分の分解斜視図、図８は節度ピースの支軸部分の組み付け状態を示す斜視図である。
【００３９】
本実施形態の電子キーのスロットは、節度ピース８に一定方向の回動付勢力を付加するようにしたもので、図７に示すように両端部を係止部３０ａとするとともに、コイル部分３０ｂの中間部を突出させて押圧部３０ｃとしたコイルスプリング３０を設けてある。
【００４０】
そして、図８に示すように前記コイルスプリング３０のコイル部分３０ｂを支軸７に挿通するとともに、節度ピース８のボス部８ｂに形成した開口部８ｄから前記係止部３０ａおよび前記押圧部３０ｃを突出させて、係止部３０ａを節度ピース８の支持部６ｂに形成した切欠部２１の一側２１ａに係止するとともに、押圧部３０ｃを節度ピース８の奥側端部８ｃ側の外面に当接してある。
【００４１】
前記コイルスプリング３０は、係止部３０ａに対して押圧部３０ｃがガイド筒６の内方に回動する方向に付勢力が付与されており、前記節度ピース８は奥側端部８ｃが閉じ方向、つまり、ガイド筒６の内方に回動付勢される。
【００４２】
従って、本実施形態によれば図１に示すように電子キー１０の未挿入状態では、節度ピース８の開口部側端部８ａが開き状態となっているが、このときに前記コイルスプリング３０の付勢力によって節度ピース８がその開き状態を積極的に保持できるので、車両の走行時の振動などにより節度ピース８のガタ付きを防止して、異音発生を防止することができる。
【００４３】
なお、以上の実施形態においては電子キー１０を楕円形状としたが、これに限らず、長円形状としても良い。
【００４４】
ところで、本発明は前記各実施形態に例をとって説明したが、これら実施形態に限ることなく本発明の要旨を逸脱しない範囲で他の実施形態を各種採用することができる。
【図面の簡単な説明】
【００４５】
【図１】本発明の一実施形態における電子キーの未挿入状態を示すスロットの断面図である。
【図２】本発明の一実施形態における節度ピースの取付状態を示す斜視図である。
【図３】本発明の一実施形態におけるスロットの電子キーを挿入する途中の断面図である。
【図４】本発明の一実施形態における電子キーの挿入時の動作を（ａ）〜（ｃ）に順を追って示す断面図である。
【図５】本発明の一実施形態における電子キーの引抜き時の動作を（ａ）〜（ｃ）に順を追って示す断面図である。
【図６】本発明の一実施形態における電子キーを斜めに挿入した時の動作を（ａ）〜（ｃ）に順を追って示す断面図である。
【図７】本発明の他の実施形態における節度ピースの支軸部分の分解斜視図である。
【図８】本発明の他の実施形態における節度ピースの支軸部分の組み付け状態を示す斜視図である。
【符号の説明】
【００４６】
１  スロット
２  開口部
３  ケース本体
４  シャッタ
５  スプリング（付勢手段）
６  ガイド筒（ガイド部）
７  支軸
８  節度ピース
９  ロック部
１０  電子キー
１１  凹部
【図１】
0004706385.tif 000002
【図２】
0004706385.tif 000003
【図３】
0004706385.tif 000004
【図４】
0004706385.tif 000005
【図５】
0004706385.tif 000006
【図６】
0004706385.tif 000007
【図７】
0004706385.tif 000008
【図８】
0004706385.tif 000009